(57)【要約】【課題】  画像データを検索するためのテンプレート画像データとして生成される画像データの所定の領域を容易に選択させる。【解決手段】  枠決定部３１３は、取得画像データ保持部３１２に保持された画像データにおける枠の位置、サイズ等を決定して枠を生成する。枠の位置は、枠位置指定操作部４０２からの指示に基づいて枠位置決定部３１３１において決定される。枠のサイズは、枠サイズ指定操作部４０５からの指示に基づいて枠サイズ決定部３１３３において決定される。定型枠生成部３１３２は、決定された枠の位置およびサイズに基づいて画像データにおける枠を生成する。テンプレート生成部３１６は、定型枠生成部３１３２において生成された画像データにおける枠に囲まれた領域を切り出してテンプレート画像データを生成する。このテンプレート画像データに基づいて検索部３１７は画像データを検索する。【選択図】      図３
2007034710.tif 000002
【特許請求の範囲】
【請求項１】
画像データの所定の領域を囲む枠の位置の指定を受け付ける枠位置指定操作手段と、
前記枠位置指定操作手段からの指定に基づいて前記枠の位置を決定する枠位置決定手段と、
前記枠のサイズの指定を受け付ける枠サイズ指定操作手段と、
前記枠サイズ指定操作手段からの指定に基づいて前記枠のサイズを決定する枠サイズ決定手段と、
前記決定された枠の位置およびサイズに基づいて前記画像データの所定の領域に所定の形状の枠を生成する定型枠生成手段と、
前記生成された枠に囲まれた所定の領域に基づいてテンプレート画像データを生成するテンプレート生成手段と、
検索対象画像データを保持する画像データ保持手段と、
前記検索対象画像データにおいて前記テンプレート画像データと類似する画像データを検索する検索手段と
を具備することを特徴とする画像処理装置。
【請求項２】
異なる形状をした少なくとも２つの前記枠の何れか一つの選択を受け付ける枠形状選択操作手段をさらに具備し、
前記定型枠生成手段は、前記選択された形状の枠を前記所定の形状の枠として生成することを特徴とする請求項１記載の画像処理装置。
【請求項３】
前記枠サイズ指定操作手段は、前記画像データにおける前記枠の境界位置の指定を受け付け、
前記枠サイズ決定手段は、前記枠の境界位置に基づいて前記枠のサイズを決定することを特徴とする請求項１記載の画像処理装置。
【請求項４】
前記枠サイズ指定操作手段は、少なくとも２つの異なるサイズの何れか一つの選択を受け付け、
前記枠サイズ決定手段は、前記選択されたサイズに決定することを特徴とする請求項１記載の画像処理装置。
【請求項５】
前記枠サイズ指定決定手段は、
前記枠の境界位置に基づいて前記枠のサイズを決定する境界枠サイズ決定手段と、
前記枠のサイズを少なくとも２つの異なるサイズのうち選択されたサイズに決定する選択枠サイズ決定手段と
を備え、
前記境界枠サイズ決定手段および選択枠サイズ決定手段のいずれか一つを選択する機能選択操作手段をさらに具備することを特徴とする請求項１記載の画像処理装置。
【請求項６】
前記定型枠生成手段によって生成された前記枠を移動させる位置の指定を受け付ける枠位置移動操作手段と、
前記枠位置移動操作手段からの指定に基づいて前記枠の位置を移動させる枠位置移動手段と
をさらに具備することを特徴とする請求項１記載の画像処理装置。
【請求項７】
前記定型枠生成手段によって生成された前記枠大きさの変更の指定を受け付ける枠サイズ変更操作手段と、
前記枠サイズ変更操作手段からの指定に基づいて前記枠の大きさを変更させる枠サイズ変更手段と
をさらに具備することを特徴とする請求項１記載の画像処理装置。
【請求項８】
前記画像データ保持手段に保持された所定の画像データの選択を受け付ける画像データ選択操作手段と、
前記画像データ選択操作手段によって選択された画像データを取得する画像データ取得手段と
をさらに具備し、
前記定型枠生成手段は、前記決定された枠の位置およびサイズに基づいて前記画像データ取得手段によって取得された画像データの所定の領域に所定の形状の枠を生成することを特徴とする請求項１記載の画像処理装置。
【請求項９】
前記枠の形状は、四角形状であることを特徴とする請求項１記載の画像処理装置。
【請求項１０】
前記枠の形状は、菱形であることを特徴とする請求項９記載の画像処理装置。
【請求項１１】
前記枠の形状は、円形状であることを特徴とする請求項１記載の画像処理装置。
【請求項１２】
画像データを保持する画像データ保持手段を備える画像処理装置における処理方法であって、
画像データの所定の領域を囲む枠の位置の指定を受け付ける枠位置指定受付手順と、
前記枠位置指定受付手順における指定に基づいて前記枠の位置を決定する枠位置決定手順と、
前記枠の大きさの指定を受け付ける枠サイズ指定受付手順と、
前記枠サイズ指定受付手順における指定に基づいて前記枠の大きさを決定する枠サイズ決定手順と、
前記決定された枠の位置および大きさに基づいて前記画像データの所定の領域に所定の形状の枠を生成する定型枠生成手順と、
前記枠で囲まれた前記画像データの領域に基づいてテンプレート画像データを生成するテンプレート生成手順と、
前記テンプレート画像データに基づいて前記画像データ保持手段より前記テンプレート画像データと類似する画像データを含む画像データを検索する検索手順と
を具備することを特徴とする処理方法。
【請求項１３】
画像データを保持する画像データ保持手段を備える画像処理装置に、
画像データの所定の領域を囲む枠の位置の指定を受け付ける枠位置指定受付手順と、
前記枠位置指定受付手順における指定に基づいて前記枠の位置を決定する枠位置決定手順と、
前記枠の大きさの指定を受け付ける枠サイズ指定受付手順と、
前記枠サイズ指定受付手順における指定に基づいて前記枠の大きさを決定する枠サイズ決定手順と、
前記決定された枠の位置および大きさに基づいて前記画像データの所定の領域に所定の形状の枠を生成する定型枠生成手順と、
前記枠で囲まれた前記画像データの領域に基づいてテンプレート画像データを生成するテンプレート生成手順と、
前記テンプレート画像データに基づいて前記画像データ保持手段より前記テンプレート画像データと類似する画像データを含む画像データを検索する検索手順と
を実行させることを特徴とするプログラム。
【発明の詳細な説明】
【技術分野】
【０００１】
本発明は、画像の所定領域を選択させる画像処理装置に関し、特に選択した画像の所定領域をテンプレート画像データとして画像データの検索を行う画像処理装置、および、これらにおける処理方法ならびに当該方法をコンピュータに実行させるプログラムに関する。
【背景技術】
【０００２】
近年、ビデオカメラおよびデジタルスチルカメラに備えられた画像データを記憶させるためのメモリ等は大容量化してきており、撮像された画像データを大量に記憶させておくことができるようになった。一方で、記憶させておいた画像データの数が増えれば増えるほど、メモリ等に記憶させた画像データを把握することはユーザーにとって困難になっていた。
【０００３】
このような問題を解決するため、所定の画像データの一部の領域をテンプレート画像として、そのテンプレート画像と類似する画像を画像データベースから検索する方法が提案されている。（例えば、特許文献１参照。）。この方法によると、テンプレート画像とする所定の画像データの一部の領域は、マウスなどにより指定するとされている。
【特許文献１】特開平８−２６３５２２号公報（図１）
【発明の開示】
【発明が解決しようとする課題】
【０００４】
しなしながら、上述の従来技術は、マウスなどのポインティングデバイスを用いて所定の画像データの一部の領域を選択することが前提となっており、マウスなどのポインティングデバイスを用いない構成の機器においては、所定の画像データの一部の領域を選択することは難しい。特に、小型の携帯機器に表示された画像データ中の所定の画像データの一部の領域を選択することはさらに難しい。
【０００５】
そこで、本発明は、テンプレート画像データとして生成される画像データの所定の領域を容易に選択させる画像処理装置を提供することを目的とする。
【課題を解決するための手段】
【０００６】
本発明は、上記課題を解決するためになされたものであり、その第１の側面は、画像データの所定の領域を囲む枠の位置の指定を受け付ける枠位置指定操作手段と、上記枠位置指定操作手段からの指定に基づいて上記枠の位置を決定する枠位置決定手段と、上記枠のサイズの指定を受け付ける枠サイズ指定操作手段と、上記枠サイズ指定操作手段からの指定に基づいて上記枠のサイズを決定する枠サイズ決定手段と、上記決定された枠の位置およびサイズに基づいて上記画像データの所定の領域に所定の形状の枠を生成する定型枠生成手段と、上記生成された枠に囲まれた所定の領域に基づいて上記画像データのテンプレート画像データを生成するテンプレート生成手段と、検索対象画像データを保持する画像データ保持手段と、上記検索対象画像データにおいて上記テンプレート画像データと類似する画像データを検索する検索手段とを具備することを特徴とする画像処理装置である。これにより、テンプレート画像データとして生成される画像データの所定の領域を容易に選択させるという作用をもたらす。
【０００７】
また、この第１の側面において、当該画像処理装置は、異なる形状をした少なくとも２つの上記枠の何れか一つの選択を受け付ける枠形状選択操作手段をさらに具備し、上記定型枠生成手段は、上記選択された形状の枠を上記所定の形状の枠として生成することを特徴とするものである。これにより、画像データ中の対象物に合わせた枠の形状を選択させるという作用をもたらす。これにより、テンプレート画像データの中に余計な対象物を含まないようにすることができるため、ユーザーが所望する画像データを精度良く検索することが可能になる。
【０００８】
また、この第１の側面において、上記枠サイズ指定操作手段は、上記画像データにおける上記枠の境界位置の指定を受け付け、上記枠サイズ決定手段は、上記枠の境界位置に基づいて上記枠のサイズを決定することを特徴とするものである。これにより、画像データ中において枠の位置と枠の広がりの境界位置を指定するだけでテンプレート画像データとして生成される画像データの所定の領域を選択させるという作用をもたらす。
【０００９】
また、この第１の側面において、上記枠サイズ指定操作手段は、少なくとも２つの異なるサイズの何れか一つの選択を受け付け、上記枠サイズ決定手段は、上記選択されたサイズに決定することを特徴とするものである。これにより、画像データ中において枠の位置と予め定められた枠のサイズを指定するだけで、テンプレート画像データとして生成される画像データの所定の領域を選択させるという作用をもたらす。
【００１０】
また、この第１の側面において、上記枠サイズ指定決定手段は、上記枠の境界位置に基づいて上記枠のサイズを決定する境界枠サイズ決定手段と、上記枠のサイズを少なくとも２つの異なるサイズのうち選択されたサイズに決定する選択枠サイズ決定手段とを備え、上記境界枠サイズ決定手段および選択枠サイズ決定手段のいずれか一つを選択する機能選択操作手段をさらに具備することを特徴とするものである。これにより、ユーザーのやりやすい方法に応じてテンプレート画像データとして生成される画像データの所定の領域を選択させるという作用をもたらす。
【００１１】
また、この第１の側面において、上記定型枠生成手段によって生成された上記枠を移動させる位置の指定を受け付ける枠位置移動操作手段と、上記枠位置移動操作手段からの指定に基づいて上記枠の位置を移動させる枠位置移動手段とをさらに具備することを特徴とするものである。これにより、一度決定した枠の位置を修正させるという作用をもたらす。
【００１２】
また、この第１の側面において、上記定型枠生成手段によって生成された上記枠大きさの変更の指定を受け付ける枠サイズ変更操作手段と、上記枠サイズ変更操作手段からの指定に基づいて上記枠の大きさを変更させる枠サイズ変更手段とをさらに具備することを特徴とするものである。これにより、一度決定した枠のサイズを修正させるという作用をもたらす。
【００１３】
また、この第１の側面において、上記画像データ保持手段に保持された所定の画像データの選択を受け付ける画像データ選択操作手段と、上記画像データ選択操作手段によって選択された画像データを取得する画像データ取得手段とをさらに具備し、上記定型枠生成手段は、上記決定された枠の位置およびサイズに基づいて上記画像データ取得手段によって取得された画像データの所定の領域に所定の形状の枠を生成することを特徴とするものである。これにより、当該画像処理装置が保持する画像データに基づいて画像データの検索をさせるという作用をもたらす。
【００１４】
また、この第１の側面において、上記枠の形状は、四角形状であることを特徴とするものである。これにより、画像データ中の所望の対象物を容易に選択させるという作用をもたらす。
【００１５】
また、上記枠の形状は、菱形であることを特徴とするものである。これにより、テンプレート画像データの対象を人の顔等にする場合に、テンプレート画像データの中に余計な対象物を含まないようにさせるという作用をもたらす。
【００１６】
また、この第１の側面において、上記枠の形状は、円形状であることを特徴とするものである。これにより、テンプレート画像データの対象を人の顔等にする場合に、テンプレート画像データの中に余計な対象物を含まないようにさせるという作用をもたらす。
【００１７】
また、本発明の第２の側面は、画像データを保持する画像データ保持手段を備える画像処理装置において以下の手順を実行する処理方法または以下の手順をコンピュータに実行させるプログラムであって、画像データの所定の領域を囲む枠の位置の指定を受け付ける枠位置指定受付手順と、上記枠位置指定受付手順における指定に基づいて上記枠の位置を決定する枠位置決定手順と、上記枠の大きさの指定を受け付ける枠サイズ指定受付手順と、上記枠サイズ指定受付手順における指定に基づいて上記枠の大きさを決定する枠サイズ決定手順と、上記決定された枠の位置および大きさに基づいて上記画像データの所定の領域に所定の形状の枠を生成する定型枠生成手順と、上記枠で囲まれた上記画像データの領域に基づいてテンプレート画像データを生成するテンプレート生成手順と、上記テンプレート画像データに基づいて上記画像データ保持手段より上記テンプレート画像データと類似する画像データを含む画像データを検索する検索手順とを具備することを特徴とする処理方法またはこれらの手順をコンピュータに実行させるプログラムである。これにより、テンプレート画像データとして生成される画像データの所定の領域を容易に選択させるという作用をもたらす。
【発明の効果】
【００１８】
本発明によれば、テンプレート画像データとして生成される画像データの所定の領域を容易に選択させるという優れた効果を奏し得る。
【発明を実施するための最良の形態】
【００１９】
次に本発明の実施の形態について図面を参照して詳細に説明する。なお、本発明の実施の形態においては、画像処理装置の一例として撮像装置について説明する。
【００２０】
図１は、本発明の実施の形態における画像処理装置の一例である撮像装置１００ａおよび１００ｂの外観図である。撮像装置１００ａは、主として静止画像を撮像するものであり、撮像装置１００ｂは、主として動画像を撮像するものである。
【００２１】
図１（ａ）は、撮像装置１００ａの正面図である。撮像装置１００ａは、レンズ部１１０ａから被写体を撮像する。そして、撮像装置１００ａは、シャッター部１２０ａが押下されると静止画データを生成する。図１（ｂ）は、撮像装置１００ａの背面図である。レンズ部１１０ａによって捕らえられた被写体の動きはディスプレイ部１３０ａに映し出される。また、生成された静止画データもディスプレイ部１３０ａに映し出される。
【００２２】
図１（ｃ）は、撮像装置１００ｂの正面図である。撮像装置１００ｂは、レンズ部１１０ｂから被写体を撮像する。そして、撮像装置１００ｂは、（図示しない）録画ボタンが押下されると動画データを生成する。図１（ｄ）は、撮像装置１００ｂの背面図である。レンズ部１１０ｂによって捕らえられた被写体の動きはディスプレイ部１３０ｂに映し出される。また、生成された動画データもディスプレイ部１３０ｂに映し出される。また、撮像装置１００ｂは、静止画データも生成する機能を有しており、生成された静止画データもディスプレイ部１３０ｂに映し出される。
【００２３】
本発明の実施の形態においては、ディスプレイ部１３０ａおよび１３０ｂに映し出された静止画データの一部を選択して切り出し、その切り出された静止画データをテンプレート画像データとするものである。このテンプレート画像データは、撮像装置１００ａおよび１００ｂに内蔵された（図示しない）記憶装置に保持された画像データから所望の画像データを検索する際に用いられるものである。本発明の実施の形態において静止画データの一部を選択する操作は、ディスプレイ部１３０ａおよび１３０ｂを直接押下することにより指定するタッチパネル方式を想定しているが、これに限るものではない。
【００２４】
図２は、本発明の実施の形態における撮像装置１００の構成を示す図である。本発明の実施の形態における撮像装置１００は、撮像部１０と、記録再生処理部２０と、制御部３０と、バス４０と、キー入力部５０と、タッチパネル部６０、記憶装置７０とを備える。
【００２５】
撮像部１０は、撮像素子部１１と、撮像制御部１２と、画像処理部１３とを備える。撮像素子部１１は、内部に、被写体を撮像するためのレンズ群（図１におけるレンズ部１１０ａおよび１１０ｂに対応）、絞り調整機構、フォーカス調整機構および例えばＣＣＤ（Charge Coupled Devices）などの撮像素子などを備えており、レンズ群を通じた像がＣＣＤなどの撮像素子の結像面に結像される。撮像素子部１１は、シャッター操作に応じて制御部３０からバス４０を通じて供給される画像取り込みタイミング信号を受けて、撮像素子の結像面に結像されている被写体像を撮像信号に変換し、画像処理部１３に供給する。
【００２６】
撮像制御部１２は、制御部３０からバス４０を通じて供給される制御信号を受けて、撮像素子部１１に供給する制御信号を生成する。また、撮像制御部１２は、生成した制御信号を撮像素子部１１に供給して、ズーム制御、シャッター制御および露出制御などを行う。
【００２７】
画像処理部１３は、制御部３０からバス４０を通じて供給される制御信号に基づいて、撮像信号についてのガンマ補正やＡＧＣ（Auto Gain Control）などの処理を行うとともに、撮像信号をデジタル信号としての画像信号に変換する処理も行う。
【００２８】
記録再生処理部２０は、画像符号化／復号部２１と、記録制御部２２とを備える。画像符号化／復号部２１は、撮像部１０からバス４０を通じて供給される画像信号などを符号化し多重化して圧縮データに変換する符号化機能を有する。また、画像符号化／復号部２１は、圧縮データから画像信号を復号する復号機能を有する。
【００２９】
記録制御部２２は、画像符号化／復号部２１から圧縮データを受けて記憶装置７０に書き込む。また、記録制御部２２は、記憶装置７０から圧縮データを読み出して画像符号化／復号部２１に供給する。なお、記憶装置７０は、撮像装置１００に外付けされたものでも内蔵されたものであってもよい。また、記憶装置７０としては、フラッシュメモリ（flash memory）をカード型にパッケージしたメモリカード、ハードディスク等の磁気ディスク、ＤＶＤ等の光ディスク（optical disk）およびＭＯ等の光磁気ディスク（Magneto-Optical disk）のいずれかが想定されるが、これに限るものではない。
【００３０】
制御部３０は、システム制御部３１と、入力制御部３２と、表示制御部３３と、出力画像処理部３４と、外部機器制御部３５と、ネットワーク制御部３６とを備える。
【００３１】
システム制御部３１は、制御部３０全体の処理を司るものである。入力制御部３２に接続されるキー入力部５０には、撮影モードと再生モードなどの他のモードとを切り換えるモード切り換えキー、ズーム調整キー、露出調整のためのキー、シャッターキー（図１におけるシャッター部１２０ａに対応）、動画撮影用キーなどの複数のキーが設けられている。また、入力制御部３２に接続されるタッチパネル入力部６２は、表示部６１に表示されるメニューの選択や画像データの所定領域の指定を受け付けるものである。
【００３２】
入力制御部３２は、キー入力部５０およびタッチパネル入力部６２からの操作信号をシステム制御部３１に伝える。システム制御部３１は、キー入力部５０およびタッチパネル入力部６２においていずれのキー等が操作されたかを判別し、その判別結果に応じた制御処理を行う。
【００３３】
表示制御部３３に接続される表示部６１は、例えばＬＣＤ（Liquid Crystal Display）などにより構成され、システム制御部３１の制御の下に、撮像部１０からバス４０を通じて供給される画像信号や、記憶装置７０から読み出された画像信号を表示する。なお、表示部６１は、図１におけるディスプレイ部１３０ａおよび１３０ｂに対応するものである。
【００３４】
出力画像処理部３４は、画像データ再生時において画像データに所定の修飾処理を施すものである。修飾処理とは、例えば画像データの色補正等が想定される。なお、出力画像処理部３４で行われる画像データに対する処理をシステム制御部３１で行うように構成してもよい。
【００３５】
外部機器制御部３５に接続される外部機器８０は、例えばパーソナルコンピュータ（Personal Computer）等が想定されるが、これに限るものではない。なお、外部機器８０と外部機器制御部３５との間は、例えばＵＳＢ（Universal Serial Bus）ケーブルによって接続されることが想定されるが、これに限るものではない。外部機器制御部３５は、撮像装置１００と外部機器８０との間のデータのやりとりを制御するものである。
【００３６】
ネットワーク制御部３６は、撮像装置１００とネットワーク網９０との間でやりとりされるデータを制御するものである。なお、ネットワーク網としては、インターネットやＬＡＮ（Local Area Network）が想定されるが、これに限るものではない。
【００３７】
図３は、本発明の実施の形態におけるシステム制御部３１および操作部４００の機能構成の一例を示す図である。なお、操作部４００は、図２におけるキー入力部５０、タッチパネル入力部６２および入力制御部３２において実現されるものである。
【００３８】
システム制御部３１は、画像データ取得部３１１と、取得画像データ保持部３１２と、枠決定部３１３と、枠位置移動部３１４と、枠サイズ変更部３１５と、テンプレート生成部３１６と、検索部３１７とを備える。
【００３９】
画像データ取得部３１１は、操作部４００中の画像データ選択操作部４０１からの画像データ選択信号を受けて、所定の画像データを記憶装置７０からバス４０を介して取得するものである。画像データ取得部３１１は、記憶装置７０から取得した画像データを取得画像データ保持部３１２に供給する。取得画像データ保持部３１２は、画像データ取得部３１１から供給された画像データを保持するものである。
【００４０】
なお、操作部４００中の画像データ選択操作部４０１は、記憶装置７０に保持された画像データの選択を受け付け、その旨の指示を画像データ選択信号として画像データ取得部３１１に供給するものである。
【００４１】
枠決定部３１３は、操作部４００から供給される枠のサイズ、形状および画像データ中における枠の位置を指定する指定信号に基づいて取得画像データ保持部３１２に保持された画像データの所定の領域を囲む枠のサイズ、形状および画像データ中における枠の位置を決定するものであり、枠位置決定部３１３１と、定型枠生成部３１３２と、枠サイズ決定部３１３３とを備える。
【００４２】
枠位置決定部３１３１は、操作部４００中の枠位置指定操作部４０２から供給される枠の位置を指定する枠位置指定信号に基づいて取得画像データ保持部３１２に保持された画像データ中における枠の位置を決定するものである。なお、枠位置指定操作部４０２は、画像データの所定の領域を囲む枠の位置の指定を受け付け、その旨の指示を枠位置指定信号として枠位置決定部３１３１に供給するものである。
【００４３】
枠サイズ決定部３１３３は、枠サイズ指定操作部４０５から供給される枠のサイズを指定する枠サイズ指定信号に基づいて枠のサイズを決定するものであり、選択枠サイズ決定部３１３４と、境界枠サイズ決定部３１３５とを備える。なお、枠サイズ指定操作部４０５は、画像データの所定の領域を囲む枠のサイズの指定を受け付け、その旨の指示を枠サイズ指定信号として枠サイズ決定部３１３３に供給するものである。
【００４４】
選択枠サイズ決定部３１３４は、枠サイズ指定操作部４０５から供給される予め設定された複数の枠のサイズのうちの一つを指定する枠サイズ指定信号に基づいて枠のサイズを決定するものである。例えば、予め小さいサイズの枠、中くらいのサイズの枠、大きいサイズの枠と３種類の枠を選択できるように設定されていた場合に、３種類の枠の何れかを指定して枠のサイズを決定する。
【００４５】
境界枠サイズ決定部３１３５は、枠サイズ指定操作部４０５から供給される枠の境界位置を指定する枠境界位置指定信号に基づいて枠のサイズを決定するものである。本発明の実施の形態において生成される枠としては、枠位置決定部３１３１によって決定された枠の位置と、境界枠サイズ決定部３１３５によって決定された枠の境界位置とを結んだ線をその対角線とする菱形や長方形を想定している。したがって、対角線の終点である枠の境界位置によって枠のサイズが決まる。
【００４６】
なお、選択枠サイズ決定部３１３４または境界枠サイズ決定部３１３５のどちらの機能を用いて枠のサイズを決定するかについては、機能選択操作部４０４から供給される機能選択信号に基づいて決定される。
【００４７】
定型枠生成部３１３２は、枠位置決定部３１３１において決定された枠の位置および枠サイズ決定部３１３３において決定された枠のサイズに基づいて画像データ中に所定の形状の枠を生成するものである。枠の所定の形状は、操作部４００中の枠形状選択操作部４０３において指定することができる。すなわち、定型枠生成部３１３２は、少なくとも２つの形状の枠を生成できる機能を有しており、その形状を枠形状選択操作部４０３において指定する。枠の形状としては、例えば菱形その他の四角形状や、円形状が想定される。
【００４８】
枠位置移動部３１４は、操作部４００中の枠位置移動操作部４０７から供給される枠の位置を指定する操作信号に基づいて枠の位置を移動させるものである。また、枠サイズ変更部３１５は、枠サイズ変更操作部４０８から供給される枠のサイズを変更させる操作信号に基づいて枠のサイズを変更させるものである。
【００４９】
テンプレート生成部３１６は、取得画像データ保持部３１２に保持された画像データ中の枠で囲まれた領域を切り出して、テンプレート画像データとして生成するものである。また、テンプレート生成部３１６は、切り出された画像データの他に切り出された画像データを拡大および縮小した画像データも複数生成する。すなわち、テンプレート生成部３１６は、テンプレート画像データ群として複数の画像データを生成する。
【００５０】
拡大した画像データとしては、例えば切り出された画像データを１．１倍、１．２１倍と１．１倍ずつ拡大していった画像データを使用することができる。また、縮小した画像データとしては、例えば切り出された画像データを０．９０９倍、０．８２６倍と０．９０９倍ずつ縮小していった画像データを使用することができる。ここで、１．２１、１．１、１．０、０．９０９、０．８２６の数列は、（１．１）２、（１．１）１、（１．１）０、（１．１）−１、（１．１）−２であり、すなわち、公比が１．１の等比数列である。なお、公比を大きくするとテンプレート画像データ群を用いて画像データの検索を行う際に検索漏れを生じる可能性が高くなり、一方、公比を小さくするとテンプレート画像データ群を用いて画像データの検索を行う際に計算量が増えるという弊害が生じる。このため、公比は、１．１程度が好ましいが、これに限るものではなく、例えば１．０９や１．２等でも良い。
【００５１】
検索部３１７は、操作部４００中の検索指示操作部４０６から供給される検索を開始すべき旨の操作信号を受けると、テンプレート生成部３１６において生成されたテンプレート画像データに基づいて記憶装置７０に保持された画像データよりテンプレート画像データと類似する画像データを検索するものである。
【００５２】
図４は、本発明の実施の形態におけるテンプレート画像データ生成画面の一例を示す図である。表示画面６００には、画像データ表示６１０と、選択枠６２０と、「ＯＫ」ボタン６３１と、「戻る」ボタン６３２が表示されている。
【００５３】
画像データ表示６１０は、記憶装置７０に保持されている画像データが想定されるが、これに限るものでなく、図２で説明した外部機器８０から転送された画像データやネットワーク網９０を介して取得した画像データであってもよい。
【００５４】
選択枠６２０には、図４においては小枠６２１、中枠６２２および大枠６２３とサイズの異なる３種類の枠が表示されているが、これに限るものではなく、４種類のサイズの枠を表示させるようにしてもよい。
【００５５】
本発明の実施の形態においては、小枠６２１、中枠６２２および大枠６２３の何れかの指定は、直接小枠６２１、中枠６２２および大枠６２３が表示されている部分を押下することによって行うタッチパネル操作を想定しているが、これに限るものではない。「ＯＫ」ボタン６３１を選択すると、次の画面が表示される。「戻る」ボタン６３２を選択すると、画像データ表示６１０に表示させる画像データを選択する（図示しない）画像データ選択画面が表示される。
【００５６】
図５は、本発明の実施の形態におけるテンプレート画像データ生成画面における操作の様子を示す図である。図５（ａ）は、テンプレート画像データ生成画面において枠の初期状態を決定する様子を示す図である。まず、選択枠６２０から所望の枠のサイズをスタイラス６５１により指定する。次に、画像データ表示６１０中の枠を表示させたい位置をスタイラス６５２により指定する。なお、図５乃至図１０の説明において枠の位置や枠のサイズ等は、スタイラスにより指定することとしているが、これに限るものではなくユーザーの指によって枠の位置や枠のサイズ等を指定するようにしてもよい。
【００５７】
図５（ａ）においては、スタイラス６５２により指定した位置が枠６４１の中央になるようになっているが、これに限るものではなく、スタイラス６５２により指定した位置が枠６４１の角になるようにしてもよい。スタイラス６５２により画像データ表示６１０中の枠６４１を表示させたい位置を指定すると、画像データ表示６１０に枠６４１が表示される。これにより、枠６４１の初期状態が決定する。
【００５８】
図５（ｂ）は、図５（ａ）において決定した枠６４１の位置を変更する様子を示した図である。図５（ａ）のようにして枠６４１の初期状態を決定したとしても、枠６４１の位置がユーザーの所望する位置になっていないことがあり得る。この場合、再度、画像データ表示６１０中の枠６４１を表示させたい位置をスタイラス６５３により指定する。これにより、枠６４１位置が移動する。枠６４１の位置に問題なければ、スタイラス６５４により「ＯＫ」ボタン６３１を選択する。「ＯＫ」ボタン６３１を選択すると、図６に示す画面が表示される。
【００５９】
図６は、本発明の実施の形態において枠のサイズを変更する様子を示した図である。枠の初期状態が決定して図６（ａ）に示すように画像データ表示６１０中に枠６４１が表示されたとしても、枠６４１で囲まれた領域に表示されている画像データ中に目的とする対象物が全て含まれていないことがあり得る。また、目的とする対象物以外の対象物が枠で囲まれた領域に表示されている画像データに含まれることもあり得る。
【００６０】
この場合、「枠を少し小さく」と表示された枠縮小ボタン６３３または「枠を少し大きく」と表示された枠拡大ボタン６３４をスタイラス６５５により選択する。図６（ａ）においては、枠拡大ボタン６３４をスタイラス６５５により選択して家の画像データが枠で囲まれた領域に含まれるように操作する様子を示している。枠拡大ボタン６３４をスタイラス６５５により選択した状態を継続すると枠６４１は少しずつ大きくなる。図６（ｂ）に示すように、枠６４１で囲まれた領域に家が全て含まれるようになるまで、枠を拡大する。
【００６１】
「ＯＫ」ボタン６３５をスタイラス６５６により選択すると枠で囲まれた領域が画像データから切り取られ、その切り取られた画像データがテンプレート画像データとして生成される。テンプレート画像データに基づいてテンプレート画像データと類似する画像データが記憶装置７０より検索される。
【００６２】
図７は、本発明の実施の形態において選択枠６２０における枠の形状を別の形状にした際のテンプレート画像データ生成画面を示す図である。図７（ａ）は、選択枠６２０における枠の形状を円形状にした際の表示画面６００を示す図である。図７（ａ）においては、円形状の中枠６２５が選択されて、家の窓の部分を囲む位置に円形状の枠６４２が表示されている。
【００６３】
図７（ｂ）は、選択枠６２０における枠の形状を菱形状にした際の表示画面６００を示す図である。図７（ａ）においては、菱形状の中枠６２８が選択されて、人の顔の部分を囲む位置に菱形状の枠６４３が表示されている。
【００６４】
選択枠６２０における枠の形状を円形状または菱形状にすることによって、テンプレート画像データの対象を人の顔等にする場合に、テンプレート画像データの中に余計な対象物を含まないようにすることができる。これにより、ユーザーが所望する画像データを精度良く検索することが可能になる。選択枠６２０における枠の形状以外については、図４乃至図６で説明したのと同様であるため、説明を省略する。
【００６５】
なお、図５乃至図７において選択枠６２０における枠のサイズの指定は、例えば図３で説明した枠サイズ指定操作部４０５および選択枠サイズ決定部３１３４により実現可能である。また、図５乃至図７において枠の位置の指定は、例えば図３で説明した枠位置指定操作部４０２および枠位置決定部３１３１により実現可能である。
【００６６】
図８は、本発明の別の実施の形態におけるテンプレート画像データ生成画面の様子を示す図である。図８（ａ）は、本発明の別の実施の形態におけるテンプレート画像データ生成画面を示す図である。表示画面６００には、画像データ表示６１０と、選択枠６６０と、「ＯＫ」ボタン６８１と、「戻る」ボタン６８２が表示されている。
【００６７】
画像データ表示６１０は、図４で説明したものと同様に、記憶装置７０に保持されている画像データが想定されるが、これに限るものでなく、図２で説明した外部機器８０から転送された画像データやネットワーク網９０を介して取得した画像データであってもよい。
【００６８】
また、選択枠６６０には、菱形形状枠６６１、円形状枠６６２および長方形状枠６６３と形状の異なる３種類の枠が表示されているがこれに限るものではなく、その他の形状の枠であってもよい。
【００６９】
本発明の実施の形態においては、菱形形状枠６６１、円形状枠６６２および長方形状枠６６３の何れかの選択は、直接菱形形状枠６６１、円形状枠６６２および長方形状枠６６３が表示されている部分を押下することによって行うタッチパネル操作を想定している。具体的には、スタイラス６７１により菱形形状枠６６１、円形状枠６６２および長方形状枠６６３の何れかを選択して、まず枠の形状を選択する。
【００７０】
図８（ｂ）は、枠の位置を指定する様子を示す図である。枠の形状が決定されると次に枠の位置を決定する。枠の位置の決定は、スタイラス６７２により枠を表示させたい位置６９１ａを指定する。
【００７１】
図９は、本発明の別の実施の形態におけるテンプレート画像データ生成画面における枠の生成の様子を示す図である。図８（ｂ）において枠の位置を指定するための位置６９１ａを指定した後に、図９（ａ）に示すようにスタイラス６７３により別の位置６９１ｂを指定する。この別の位置６９１ｂは、図３において説明した枠の境界位置に相当する。スタイラス６７３により別の位置６９１ｂを指定すると、位置６９１ａおよび位置６９１ｂを結んだ線をその対角線とする菱形形状の枠６９１が表示される。
【００７２】
位置６９１ｂを画像データ表示６１０のどの位置に指定するかによって菱形形状の枠６９１のサイズが変わってくる。従って、本発明の別の実施の形態においては、最初に指定する位置６９１ａにより枠の位置を決定し、次に指定する位置６９１ｂで枠の大きさを決定している。これにより枠６９１の初期状態が決定される。
【００７３】
図９（ａ）においては、枠６９１の中に顔が全て含まれているようにはなっていない。このような場合は、図９（ｂ）に示すように、再度スタイラス６７４により位置６９２ａを指定すると、枠６９１はリセットされる。そして次に、スタイラス６７５により位置６９２ｂを指定することによって枠６９２が表示される。
【００７４】
枠の位置と大きさが決まると、「ＯＫ」ボタン６８１を選択する。「ＯＫ」ボタン６８１を選択すると、図１０に示す画面が表示される。「戻る」ボタン６８２を選択すると、画像データ表示６１０に表示させる画像データを選択する（図示しない）画像データ選択画面が表示される。
【００７５】
図１０は、本発明の実施の形態において枠のサイズを変更する様子を示す図である。図９（ｂ）において表示された枠６９２を少し大きくまたは小さくする場合、枠６９２のサイズを「枠を少し小さく」と表示された枠縮小ボタン６８３または「枠を少し大きく」と表示された枠拡大ボタン６８４をスタイラス６７６により調整する。図１０においては、枠拡大ボタン６８４をスタイラス６７６により選択して枠６９２のサイズを大きくしている。
【００７６】
図１０（ｂ）に示したように枠６９２のサイズが適当なサイズにした後、「ＯＫ」ボタン６８５を選択すると枠６９２で囲まれた領域が画像データから切り取られ、その切り取られた画像データがテンプレート画像データとして生成される。テンプレート画像データに基づいてテンプレート画像データと類似する画像データが記憶装置７０より検索される。
【００７７】
なお、図８乃至図１０において選択枠６６０における枠の形状の指定は、例えば図３で説明した枠形状選択操作部４０３および定型枠生成部３１３２により実現可能である。また、図８乃至図１０において枠の位置（位置６９１ａ）の指定は、例えば図３で説明した枠位置指定操作部４０２および枠位置決定部３１３１により実現可能である。また、図８乃至図１０において枠の境界位置（位置６９１ｂ）の指定は、例えば図３で説明した枠サイズ指定操作部４０５および選択枠サイズ決定部３１３４により実現可能である。
【００７８】
図１１は、テンプレート画像データ生成のイメージを示す図である。画像データの所定の領域を囲む枠の位置と形状と大きさとが決まると、テンプレート生成部３１６において画像データ中における枠に囲まれた部分は切り出され、図１１（ａ）に示すテンプレート画像データ２００として生成される。
【００７９】
また、テンプレート生成部３１６は、テンプレート画像データ２００を拡大および縮小した画像データであるテンプレート画像データ２１１乃至２１４も生成する。テンプレート画像データ２１１乃至２１４は、それぞれテンプレート画像データ２００を、例えば０．８２６倍、０．９０９倍、１．１倍、１．２１倍したものが想定される。なお、図１１（ａ）においては、テンプレート画像データ２００以外のテンプレート画像データは４つしかないが、これに限るものではなくいくつあってもよい。
【００８０】
また、テンプレート画像データは、図１１（ｂ）に示すように、テンプレート画像データ２００を拡大および縮小した画像データのみならず、さらに回転させたものも生成してもよい。
【００８１】
図１２は、画像データよりテンプレート画像データと類似する部分を探索する様子を示す図である。画像データよりテンプレート画像データと類似する部分を探索する際には、例えばテンプレート画像データと画像データとを照合する。照合した結果、画像データ中にテンプレート画像データと一致または類似する部分があれば、その画像データは、テンプレート画像データと類似する部分画像を含む画像データとされる。テンプレート画像データと画像データとを照合するに際して、図１２に示すように例えば、画像データ２３０に左上端付近より照合を開始する。そして、例えば図１２に示した矢印方向に所定画素（例えば、１ピクセル）ずつずらしてテンプレート画像データと画像データとを照合する。
【００８２】
所定画素ずらしながら右端まで照合を行ったら、次は、下方向に所定画素（例えば、１ピクセル）ずらして、左端から右端までテンプレート画像データ２００と画像データ２３０の照合を行う。また、画像データ２３０よりテンプレート画像データと類似する部分を探索する際には、テンプレート画像データ２００以外にも、図１１で説明したテンプレート画像データ２００を拡大および縮小した画像データについても上記説明した照合を行う。
【００８３】
なお、画像データよりテンプレート画像データと類似する部分を探索する方法は、上記のように画像データの全ての部分について照合を行う以外にも、遺伝的アルゴリズム（Genetic Algorithm）を利用して、照合を行う場所やテンプレートのサイズ、テンプレートの回転の各バリエーションを効率よく変化させながら画像データにおいてテンプレート画像データと類似する部分を探索してもよい。
【００８４】
次に本発明の実施の形態における撮像装置１００の動作について図面を参照して説明する。
【００８５】
図１３は、本発明の実施の形態における撮像装置１００において画像データよりテンプレート画像データを生成してテンプレート画像データと類似する画像データの検索を行うまでの流れを示す図である。
【００８６】
まず、画像データ選択操作部４０１から画像データを選択する指示がされたか否かが画像データ取得部３１１において判断される（ステップＳ９１１）。画像データ選択操作部４０１から画像データを選択する指示がされたと判断されると、画像データ取得部３１１は記憶装置７０より選択された画像データを取得する。次に、取得した画像データ中における枠の位置、大きさおよび形状の初期状態が枠決定部３１３において決定される（ステップＳ９１２）。
【００８７】
次に、枠位置移動操作部４０７から枠の初期状態における位置を移動させる旨の指示がされたか否かが、枠位置移動部３１４において判断される（ステップＳ９１３）。枠の初期状態における位置を移動させる旨の指示がされたと判断されると、枠位置移動部３１４は枠の位置を移動させて、ステップＳ９１５に移る（ステップＳ９１４）。一方、枠の初期状態における位置を移動させる旨の指示がされていないと判断されると、ステップＳ９１４をスキップしてステップＳ９１５に移る。
【００８８】
枠サイズ変更操作部４０８から枠の初期状態におけるサイズを変更する旨の指示がされたか否かが枠位置移動部３１４において判断される（ステップＳ９１５）。枠サイズ変更操作部４０８から枠の初期状態におけるサイズを変更する旨の指示がされたと判断されると、枠サイズ変更部３１５は枠のサイズの拡大または縮小する処理を行い、ステップＳ９１７に移る（ステップＳ９１６）。
【００８９】
一方、枠サイズ変更操作部４０８から枠の初期状態におけるサイズを変更する旨の指示がされていないと判断されると、検索指示操作部４０６から検索をすべき旨の指示がされたか否かが検索部３１７において判断される（ステップＳ９１７）。
【００９０】
検索指示操作部４０６から検索をすべき旨の指示がされたと判断されると、検索部３１７は、画像データ中における枠に囲まれた部分をテンプレート画像データとして生成する（ステップＳ９１８）。テンプレート画像データが生成された後、検索部３１７は画像データの検索を開始する（ステップＳ９１９）。一方、検索をすべき旨の操作信号が検索指示操作部４０６から検索部３１７に供給されていないと判断されると、ステップＳ９１３に戻る。
【００９１】
図１４は、図１３で説明したステップＳ９１２の流れのうち選択枠サイズ決定部３１３４により枠のサイズを決定する場合の流れを示す図である。所定の画像データが選択されると、予め設定された複数の枠のサイズが表示された枠サイズ選択表示が表示部６１に表示される（ステップＳ９２１）。
【００９２】
次に、枠サイズ指定操作部４０５から枠のサイズを指定する旨の指示がされたか否かが選択枠サイズ決定部３１３４において判断される（ステップＳ９２２）。枠サイズ指定操作部４０５から枠のサイズを指定する旨の指示がされたと判断されると、選択枠サイズ決定部３１３４は、枠のサイズを指定する旨の指示に基づいて枠のサイズを決定する（ステップＳ９２３）。
【００９３】
次に、枠位置指定操作部４０２から画像データ中における枠の位置を指定する旨の指示がされたか否かが枠位置決定部３１３１において判断される（ステップＳ９２４）。枠位置指定操作部４０２から画像データ中における枠の位置を指定する旨の指示がされたと判断されると、枠位置決定部３１３１は、枠の位置を指定する旨の指示に基づいて枠の位置を決定する（ステップＳ９２５）。枠の位置およびサイズが決定すると、定型枠生成部３１３２は、枠のサイズと枠の位置に基づいて枠を生成する（ステップＳ９２６）。これにより、枠の初期状態が決定する。
【００９４】
図１５は、図１３で説明したステップＳ９１２の流れのうち境界枠サイズ決定部３１３５により枠のサイズを決定する場合の流れを示す図である。所定の画像データが選択されると、枠の位置を指定させる枠指定表示が表示部６１に表示される（ステップＳ９３１）。
【００９５】
次に、枠位置指定操作部４０２から枠指定表示に基づいて枠の位置を指定する旨の指示がされたか否かが、枠位置決定部３１３１において判断される（ステップＳ９３２）。枠位置指定操作部４０２から枠指定表示に基づいて枠の位置を指定する旨の指示がされたと判断されると、枠位置決定部３１３１は、枠の位置を指定する旨の指示に基づいて枠の位置を決定する（ステップＳ９３３）。
【００９６】
次に、枠サイズ指定操作部４０５から枠指定表示に基づいて枠の境界位置を指定する旨の指示がされたか否かが、境界枠サイズ決定部３１３５において判断される（ステップＳ９３４）。枠サイズ指定操作部４０５から枠指定表示に基づいて枠の境界位置を指定する旨の指示がされたと判断されると、境界枠サイズ決定部３１３５は、枠の境界位置を指定する旨の指示に基づいて枠のサイズを決定する（ステップＳ９３５）。枠の位置およびサイズが決定すると、定型枠生成部３１３２は、枠の位置と枠のサイズに基づいて枠を生成する（ステップＳ９３６）。これにより、枠の初期状態が決定する。
【００９７】
このように、本発明の実施の形態によれば、枠位置指定操作部４０２から枠位置決定部３１３１に対して枠の位置を指示し、枠サイズ指定操作部４０５から枠サイズ決定部３１３３に対して枠のサイズを指示するだけで、画像データの検索に用いるテンプレート画像データの前提となる画像データの所定の領域を選択できる。このような簡単な操作は、ユーザーにとって便利である。
【００９８】
なお、本発明の実施の形態では、撮像装置について説明したが、その他画像処理機能を有する携帯電話等についても同様に適用可能である。
【００９９】
なお、本発明の実施の形態は本発明を具現化するための一例を示したものであり、以下に示すように特許請求の範囲における発明特定事項とそれぞれ対応関係を有するが、これに限定されるものではなく本発明の要旨を逸脱しない範囲において種々の変形を施すことができる。
【０１００】
すなわち、請求項１において、枠位置指定操作手段は、例えば枠位置指定操作部４０２に対応する。また、枠位置決定手段は、例えば枠位置決定部３１３１に対応する。また、枠サイズ指定操作手段は、例えば枠サイズ指定操作部４０５に対応する。また、枠サイズ決定手段は、例えば枠サイズ決定部３１３３に対応する。また、定型枠生成手段は、例えば定型枠生成部３１３２に対応する。また、テンプレート生成手段は、例えばテンプレート生成部３１６に対応する。また、画像データ保持手段は、例えば記憶装置７０に対応する。また、検索手段は、例えば検索部３１７に対応する。
【０１０１】
また、請求項２において、枠形状選択操作手段は、例えば枠形状選択操作部４０３に対応する。
【０１０２】
また、請求項５において、境界枠サイズ決定手段は、例えば境界枠サイズ決定部３１３５に対応する。また、選択枠サイズ決定手段は、例えば選択枠サイズ決定部３１３４に対応する。また、機能選択操作手段は、例えば機能選択操作部４０４に対応する。
【０１０３】
また、請求項６において、枠位置移動操作手段は、例えば枠位置移動操作部４０７に対応する。また、枠位置移動手段は、例えば枠位置移動部３１４に対応する。
【０１０４】
また、請求項７において、枠サイズ変更操作手段は、例えば枠サイズ変更操作部４０８に対応する。また、枠サイズ変更手段は、例えば枠サイズ変更部３１５に対応する。
【０１０５】
また、請求項８において、画像データ選択操作手段は、例えば画像データ選択操作部４０１に対応する。また、画像データ取得手段は、例えば画像データ取得部３１１に対応する。
【０１０６】
また、請求項１２および請求項１３において、画像データ保持手段は、例えば記憶装置７０に対応する。また、枠位置指定受付手順は、例えばステップＳ９２４またはステップＳ９３２に対応する。また、枠位置決定手順は、例えばステップＳ９２５またはステップＳ９３３に対応する。また、枠サイズ指定受付手順は、例えばステップＳ９２２またはステップＳ９３４に対応する。また、枠サイズ決定手順は、例えばステップＳ９２３またはステップＳ９３５に対応する。定型枠生成手順は、例えばステップＳ９２６またはステップＳ９３６に対応する。また、テンプレート生成手順は、例えばステップＳ９１８に対応する。また、検索手順は、例えばステップＳ９１９に対応する。
【０１０７】
なお、本発明の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。
【図面の簡単な説明】
【０１０８】
【図１】本発明の実施の形態における画像処理装置の一例である撮像装置１００ａおよび１００ｂの外観図である。
【図２】本発明の実施の形態における撮像装置１００の構成を示す図である。
【図３】本発明の実施の形態におけるシステム制御部３１および操作部４００の機能構成の一例を示す図である。
【図４】本発明の実施の形態におけるテンプレート画像データ生成画面の一例を示す図である。
【図５】本発明の実施の形態におけるテンプレート画像データ生成画面における操作の様子を示す図である。
【図６】本発明の実施の形態において枠のサイズを変更する様子を示した図である。
【図７】本発明の実施の形態において選択枠６２０における枠の形状を別の形状にした際のテンプレート画像データ生成画面を示す図である。
【図８】本発明の別の実施の形態におけるテンプレート画像データ生成画面の様子を示す図である。
【図９】本発明の別の実施の形態におけるテンプレート画像データ生成画面における枠の生成の様子を示す図である。
【図１０】本発明の実施の形態において枠のサイズを変更する様子を示す図である。
【図１１】テンプレート画像データ生成のイメージを示す図である。
【図１２】画像データよりテンプレート画像データと類似する部分を探索する様子を示す図である。
【図１３】本発明の実施の形態における撮像装置１００において画像データよりテンプレート画像データを生成してテンプレート画像データと類似する画像データの検索を行うまでの流れを示す図である。
【図１４】図１３で説明したステップＳ９１２の流れのうち選択枠サイズ決定部３１３４により枠のサイズを決定する場合の流れを示す図である。
【図１５】図１３で説明したステップＳ９１２の流れのうち境界枠サイズ決定部３１３５により枠のサイズを決定する場合の流れを示す図である。
【符号の説明】
【０１０９】
１００  撮像装置
３１１  画像データ取得部
３１２  取得画像データ保持部
３１３  枠決定部
３１４  枠位置移動部
３１５  枠サイズ変更部
３１６  テンプレート生成部
３１７  検索部
４００  操作部
４０１  画像データ選択操作部
４０２  枠位置指定操作部
４０３  枠形状選択操作部
４０４  機能選択操作部
４０５  枠サイズ指定操作部
４０６  検索指示操作部
４０７  枠位置移動操作部
４０８  枠サイズ変更操作部
３１３１  枠位置決定部
３１３２  定型枠生成部
３１３３  枠サイズ決定部
３１３４  選択枠サイズ決定部
３１３５  境界枠サイズ決定部
【図１】
2007034710.tif 000003
【図２】
2007034710.tif 000004
【図３】
2007034710.tif 000005
【図４】
2007034710.tif 000006
【図５】
2007034710.tif 000007
【図６】
2007034710.tif 000008
【図７】
2007034710.tif 000009
【図８】
2007034710.tif 000010
【図９】
2007034710.tif 000011
【図１０】
2007034710.tif 000012
【図１１】
2007034710.tif 000013
【図１２】
2007034710.tif 000014
【図１３】
2007034710.tif 000015
【図１４】
2007034710.tif 000016
【図１５】
2007034710.tif 000017